(57)【要約】      （修正有）【課題】巻線から引き出される複数の引き出し線の距離を長くする。【解決手段】トランスは、コアと、コアを囲む筒状部２１と、筒状部２１に接合される第１端子支持部２３と、筒状部２１を介してコアに巻かれる複数の巻線と、第１端子支持部２３の第１端子支持面３１から突出するように配置される複数の端子２５−１〜２５−４とを備えている。複数の巻線から引き出された第１引き出し線５５−１は、第１端子支持部２３の上面５１に沿うように配置されることにより、第１端子２５−１に接続される。複数の巻線から引き出された第２引き出し線５５−２は、第１端子支持部２３の第１基板対向面３３に沿うように配置されることにより、第２端子２５−２に接続される。【選択図】図４
2018049945.tif 000002
【特許請求の範囲】
【請求項１】
コアと、
コアを囲む筒状部と、
前記筒状部に接合される端子支持部と、
前記筒状部を介して前記コアに巻かれる複数の巻線と、
前記端子支持部のうちの前記筒状部に接合される側の反対側の第１面から突出するように配置される複数の端子とを備え、
前記複数の巻線から引き出された第１引き出し線は、前記端子支持部のうちの前記第１面と異なる第２面に沿うように配置されることにより、前記複数の端子のうちの第１端子に電気的に接続され、
前記複数の巻線から引き出された第２引き出し線は、前記端子支持部のうちの前記第２面の反対側の第３面に沿うように配置されることにより、前記複数の端子のうちの第２端子に電気的に接続される
トランス。
【請求項２】
前記第１引き出し線は、前記第２面に形成される溝に沿うように配置される
請求項１に記載のトランス。
【請求項３】
前記複数の巻線から引き出された第３引き出し線は、前記第３面に沿うように配置され、前記複数の端子のうちの第３端子に電気的に接続され、
前記複数の巻線から引き出された第４引き出し線は、前記第２面に沿うように配置され、前記複数の端子のうちの第４端子に電気的に接続され、
前記第２端子は、前記第１端子と前記第３端子との間に配置され、
前記第３端子は、前記第２端子と前記第４端子との間に配置される
請求項１または請求項２に記載のトランス。
【請求項４】
前記端子支持部は、
前記第２引き出し線が沿う第２溝と、
前記第３引き出し線が沿う第３溝とが前記第３面に形成される
請求項３に記載のトランス。
【請求項５】
前記端子支持部は、第１溝と第２溝と第３溝と第４溝とが前記第３面に形成され、
前記第１端子から前記第１溝までの距離は、前記第１端子から前記第２端子までの第１距離より短く、
前記第１端子から前記第２溝までの距離は、前記第１距離より長く、
前記第４端子から前記第３溝までの距離は、前記第４端子から前記第３端子までの第２距離より長く、
前記第４端子から前記第２溝までの距離は、前記第２距離より短く、
前記第２引き出し線は、前記第１溝または前記第２溝の一方に沿わされ、
前記第３引き出し線は、前記第３溝または前記第４溝の一方に沿わされる
請求項３に記載のトランス。
【請求項６】
前記コアは、
前記複数の巻線に巻かれる棒状部分と、
前記複数の巻線を囲む環状部分とを備え、
前記環状部分は、前記第１引き出し線に対向する領域に切欠きが形成される
請求項１〜請求項５のいずれか一項に記載のトランス。
【請求項７】
コアを囲む筒状部と、
前記筒状部に接合される端子支持部と、
前記端子支持部のうちの前記筒状部に接合される側の反対側の第１面から突出するように配置される複数の端子とを備え、
前記端子支持部は、
前記筒状部を介して前記コアに巻かれる複数の巻線から前記複数の端子のうちの第１端子に引き出される第１引き出し線が沿う第１溝が、前記第１面と異なる第２面に形成され、
前記複数の巻線から前記複数の端子のうちの第２端子に引き出される第２引き出し線が沿う第２溝が、前記第２面の反対側の第３面に形成される
ボビン。
【発明の詳細な説明】
【技術分野】
【０００１】
本開示の技術は、トランスおよびボビンに関する。
【背景技術】
【０００２】
回路基板に面実装されるトランスが知られている。このようなトランスは、ボビンを備え、ボビンを介してコアに巻かれる複数の巻線から引き出された複数の引き出し線が、ボビンに固定される複数の端子にそれぞれ電気的に接合されている（特許文献１〜５参照）。
【先行技術文献】
【特許文献】
【０００３】
【特許文献１】特開２０１４−１６０７０９号公報
【特許文献２】特開２０１０−１２９７０３号公報
【特許文献３】特開２００９−２８３６７５号公報
【特許文献４】特開２００９−１２９９３８号公報
【特許文献５】特開２００８−１１２７５３号公報
【発明の概要】
【発明が解決しようとする課題】
【０００４】
しかしながら、このようなトランスは、２つの端子にそれぞれ接続される２つの引き出し線の距離が短い場合で、その２つの端子に高電圧が印加されるときに、その２つの引き出し線が電気的に短絡する等の不具合が発生するという問題がある。
【０００５】
開示の技術は、かかる点に鑑みてなされたものであって、複数の巻線から引き出される複数の引き出し線の距離を長くするトランスおよびボビンを提供することを目的とする。
【課題を解決するための手段】
【０００６】
開示の態様では、トランスは、コアと、コアを囲む筒状部と、前記筒状部に接合される端子支持部と前記筒状部を介して前記コアに巻かれる複数の巻線と、複数の端子とを備えている。前記複数の端子は、前記端子支持部のうちの前記筒状部に接合される側の反対側の第１面から突出するように配置されている。前記複数の巻線から引き出された第１引き出し線は、前記端子支持部のうちの前記第１面と異なる第２面に沿うように配置されることにより、前記複数の端子のうちの第１端子に電気的に接続されている。前記複数の巻線から引き出された第２引き出し線は、前記端子支持部のうちの前記第２面の反対側の第３面に沿うように配置されることにより、前記複数の端子のうちの第２端子に電気的に接続されている。
【発明の効果】
【０００７】
開示のトランスおよびボビンは、巻線から引き出される複数の引き出し線の距離を長くすることができる。
【図面の簡単な説明】
【０００８】
【図１】図１は、実施例１のトランスを示す斜視図である。
【図２】図２は、実施例１のトランスを示す分解斜視図である。
【図３】図３は、実施例１のトランスのボビンを示す下面図である。
【図４】図４は、実施例１のトランスのボビンを示す正面図である。
【図５】図５は、実施例１のトランスを示す側面図である。
【図６】図６は、実施例１のトランスを示す下面図である。
【図７】図７は、比較例のトランスを示す斜視図である。
【図８】図８は、比較例のトランスのボビンを示す正面図である。
【図９】図９は、比較例のトランスのボビンを示す下面図である。
【図１０】図１０は、実施例２のトランスのボビンを示す下面図である。
【図１１】図１１は、実施例２のトランスのボビンを示す正面図である。
【図１２】図１２は、実施例２のトランスを示す下面図である。
【図１３】図１３は、実施例３のトランスのボビンを示す下面図である。
【図１４】図１４は、実施例４のトランスを示す正面図である。
【図１５】図１５は、実施例４のトランスを示す分解斜視図である。
【図１６】図１６は、実施例４のトランスのボビンを示す側面図である。
【発明を実施するための形態】
【０００９】
以下に、本願が開示する実施形態にかかるトランスおよびボビンについて、図面を参照して説明する。なお、以下の記載により本開示の技術が限定されるものではない。また、以下の記載においては、同一の構成要素に同一の符号を付与し、重複する説明を省略する。
【００１０】
［実施例１］
図１は、実施例１のトランスを示す斜視図である。実施例１のトランス１は、基板の表面に実装されるものであり、図１に示されているように、コア２とボビン３と複数の巻線５とカバー６とを備えている。コア２は、透磁率が高い磁性材料から形成され、棒状部分７と環状部分８とを備えている。棒状部分７は、棒状に形成されている。環状部分８は、環状に形成されている。
【００１１】
図２は、実施例１のトランスを示す分解斜視図である。コア２は、図２に示されているように、コア１１−１とコア１１−２とを備えている。コア１１−１は、コア１１−２と同様に形成されている。コア１１−ｉ（ｉ＝１，２）は、基板部１４−ｉと第１外足部１５−ｉと第２外足部１６−ｉと中足部１７−ｉとを備えている。基板部１４−ｉは、板状に形成されている。第１外足部１５−ｉは、板状に形成され、基板部１４−ｉの一端から基板部１４−ｉの法線方向に突出するように、基板部１４−ｉの一端に一体に接合されている。第２外足部１６−ｉは、第１外足部１５−ｉと同様にして、板状に形成されている。第２外足部１６−ｉは、基板部１４−ｉのうちの第１外足部１５−ｉが接合される一端と反対側の他端から、第１外足部１５−ｉが突出する方向と同じ方向に突出するように、基板部１４−ｉの他端に一体に接合されている。中足部１７−ｉは、板状に形成され、基板部１４−ｉの中央から、第１外足部１５−ｉが突出する方向と同じ方向に突出するように、基板部１４−ｉの中央に一体に接合されている。第１外足部１５−ｉと第２外足部１６−ｉと中足部１７−ｉとは、長さが互いに等しい。
【００１２】
［ボビン］
ボビン３は、筒状部２１と２つの鍔部２２と第１端子支持部２３と第２端子支持部２４と複数の端子２５−１〜２５−８とを備えている。筒状部２１と２つの鍔部２２と第１端子支持部２３と第２端子支持部２４とは、それぞれ、樹脂に例示される絶縁体から形成されている。筒状部２１は、中空の筒状に形成されている。筒状部２１は、その筒の断面が概ね直方体に形成されるように、形成されている。筒状部２１は、トランス１が基板の表面に実装されるときに、筒状部２１の軸が基板の表面に平行になるように、配置される。
【００１３】
２つの鍔部２２は、それぞれ、板状に形成され、筒状部２１の両端から筒状部２１の外側に向かって張り出すように、筒状部２１の両端に一体に接合されている。第１端子支持部２３は、概ね直方体状に形成され、トランス１が基板の表面に実装されるときに、筒状部２１の一端のうちの基板に近い側の部位に一体に接合されている。第２端子支持部２４は、第１端子支持部２３と概ね同様に形成されている。すなわち、第２端子支持部２４は、概ね直方体状に形成されている。第２端子支持部２４は、第１端子支持部２３と第２端子支持部２４との間に筒状部２１が配置されるように、筒状部２１のうちの第１端子支持部２３が接合される一端の反対側の他端のうちの基板に近い側の部位に一体に接合されている。
【００１４】
複数の端子２５−１〜２５−８は、それぞれ、金属に例示される導体から形成され、屈曲した棒状に形成されている。複数の端子２５−１〜２５−８のうちの複数の端子２５−１〜２５−４は、それぞれ、第１端子支持部２３に固定されている。複数の端子２５−１〜２５−８のうちの複数の端子２５−５〜２５−８は、それぞれ、第２端子支持部２４に固定されている。
【００１５】
複数の巻線５は、それぞれ、絶縁体から形成されている被膜に金属線が被覆されている電線から形成され、ボビン３の筒状部２１に巻かれている。このとき、ボビン３の２つの鍔部２２は、複数の巻線５が筒状部２１から外れることを防止している。カバー６は、樹脂に例示される絶縁体から形成され、箱状に形成されている。カバー６は、箱の開口部から外側に張り出すように、フランジ２８が形成されている。カバー６は、向かい合う一対の側面に一対の貫通孔２９がそれぞれ形成されている。一対の貫通孔２９は、それぞれ、ボビン３の筒状部２１の内部の断面と合同である四角形に形成されている。
【００１６】
ボビン３は、筒状部２１に複数の巻線５が巻かれた後に、カバー６の一対の貫通孔２９が筒状部２１の内部に接続されるように、筒状部２１にカバー６が被せられる。ボビン３は、筒状部２１にカバー６が被せられた後に、カバー６の一対の貫通孔２９のうちの一方の貫通孔を介して、コア１１−１の中足部１７−１が筒状部２１の内部に挿入される。ボビン３は、さらに、第１外足部１５−１と第２外足部１６−２とが対向し、第１外足部１５−２と第２外足部１６−１とが対向するように、一対の貫通孔２９のうちの他方の貫通孔を介して、中足部１７−２が筒状部２１の内部に挿入される。
【００１７】
コア１１−１とコア１１−２とは、中足部１７−１と中足部１７−２とがボビン３の筒状部２１に挿入されることにより、コア２に形成される。このとき、中足部１７−１と中足部１７−２とは、コア２の棒状部分７に形成される。基板部１４−１と第１外足部１５−１と第２外足部１６−１と基板部１４−２と第１外足部１５−２と第２外足部１６−２とは、コア２の環状部分８に形成される。すなわち、コア２の棒状部分７は、ボビン３の筒状部２１を介して複数の巻線５に巻かれる。コア２の環状部分８は、カバー６を介して複数の巻線５を囲むように形成され、閉磁路を形成する。
【００１８】
図３は、実施例１のトランスのボビンを示す下面図である。複数の端子２５−１〜２５−４は、図３に示されているように、第１端子支持部２３のうちの筒状部２１に接合されている側と反対側の第１端子支持面３１から突出するように、一列に並んで配置されている。複数の端子２５−１〜２５−４は、一端が第１端子支持部２３に埋め込まれることにより、第１端子支持部２３に固定されている。このとき、複数の端子２５−１〜２５−４のうちの第２端子２５−２と第３端子２５−３とは、複数の端子２５−１〜２５−４のうちの第１端子２５−１と第４端子２５−４との間に配置されている。第２端子２５−２は、第１端子２５−１と第３端子２５−３との間に配置されている。第３端子２５−３は、第２端子２５−２と第４端子２５−４との間に配置されている。
【００１９】
複数の端子２５−５〜２５−８は、第２端子支持部２４のうちの筒状部２１に接合されている側と反対側の第２端子支持面３２から突出するように、一列に並んで配置されている。複数の端子２５−５〜２５−８は、一端が第２端子支持部２４に埋め込まれることにより、第２端子支持部２４に固定されている。このとき、複数の端子２５−５〜２５−８のうちの第６端子２５−６と第７端子２５−７とは、複数の端子２５−５〜２５−８のうちの第５端子２５−５と第８端子２５−８との間に配置されている。第６端子２５−６は、第５端子２５−５と第７端子２５−７との間に配置されている。第７端子２５−７は、第６端子２５−６と第８端子２５−８との間に配置されている。
【００２０】
ボビン３は、さらに、トランス１が基板に実装されたときに、第１端子支持部２３のうちの基板に対向する第１基板対向面３３に溝３４と溝３５とが形成されている。溝３４は、第１基板対向面３３のうちの第１端子支持面３１の側の縁から筒状部２１の側の縁までを接続するように、形成されている。溝３４は、さらに、溝３４の第１端子支持面３１の側の端３６が、第１基板対向面３３の第１端子支持面３１の側の辺のうちの第１端子２５−１と第２端子２５−２との間に配置されるように、形成されている。すなわち、溝３４は、第３端子２５−３から端３６までの距離が、第３端子２５−３から第２端子２５−２までの距離より長くなるように、形成されている。溝３４は、さらに、第１端子２５−１から端３６までの距離が、第１端子２５−１から第２端子２５−２までの距離より短くなるように、形成されている。
【００２１】
ボビン３は、溝３４の端３６が第１端子２５−１と第２端子２５−２との間に配置されることにより、溝３４が第２端子２５−２の下部に配置される場合に比較して、第２端子２５−２と溝３４との間の距離を長くすることができる。ボビン３は、第２端子２５−２と溝３４との間の距離が短いときに、第２端子２５−２を支持する強度が低減することがある。ボビン３は、第２端子２５−２と溝３４との間の距離を長くすることにより、溝３４が第２端子２５−２の近傍に配置される他のボビンに比較して、第２端子２５−２を適切に固定することができる。ボビン３は、同様にして、複数の端子２５−１〜２５−８を適切に固定することができる。
【００２２】
溝３５は、第１基板対向面３３のうちの第１端子支持面３１の側の縁から筒状部２１の側の縁までを接続するように、形成されている。溝３５は、さらに、溝３５の第１端子支持面３１の側の端３７が、第１基板対向面３３の第１端子支持面３１の側の辺のうちの第３端子２５−３と第４端子２５−４との間に配置されるように、形成されている。すなわち、溝３５は、第２端子２５−２から端３７までの距離が、第２端子２５−２から第３端子２５−３までの距離より長くなるように、形成されている。溝３５は、さらに、第４端子２５−４から端３７までの距離が、第４端子２５−４から第３端子２５−３までの距離より短くなるように、形成されている。
【００２３】
ボビン３は、さらに、トランス１が基板に実装されたときに、第２端子支持部２４のうちの基板に対向する第２基板対向面４３に溝４４と溝４５とが形成されている。溝４４は、第２基板対向面４３のうちの第２端子支持面３２の側の縁から筒状部２１の側の縁までを接続するように、形成されている。溝４４は、さらに、溝４４の第２端子支持面３２の側の端４６が、第２基板対向面４３の第２端子支持面３２の側の辺のうちの第５端子２５−５と第６端子２５−６との間に配置されるように、形成されている。すなわち、溝４４は、第７端子２５−７から端４６までの距離が、第７端子２５−７から第６端子２５−６までの距離より長くなるように、形成されている。溝４４は、さらに、第５端子２５−５から端４６までの距離が、第５端子２５−５から第６端子２５−６までの距離より短くなるように、形成されている。
【００２４】
溝４５は、第２基板対向面４３のうちの第２端子支持面３２の側の縁から筒状部２１の側の縁までを接続するように、形成されている。溝４５は、さらに、溝４５の第２端子支持面３２の側の端４７が、第２基板対向面４３の第２端子支持面３２の側の辺のうちの第７端子２５−７と第８端子２５−８との間に配置されるように、形成されている。すなわち、溝４５は、第６端子２５−６から端４７までの距離が、第６端子２５−６から第７端子２５−７までの距離より長くなるように、形成されている。溝４５は、さらに、第８端子２５−８から端４７までの距離が、第８端子２５−８から第７端子２５−７までの距離より短くなるように、形成されている。
【００２５】
図４は、実施例１のトランスのボビンを示す正面図である。ボビン３は、さらに、図４に示されているように、第１端子支持部２３のうちの第１基板対向面３３の反対側の上面５１に溝５２と溝５３とが形成されている。溝５２は、上面５１のうちの第１端子２５−１に近い一端に形成され、上面５１のうちの第１端子支持面３１の側の縁から筒状部２１の側の縁までを接続するように、形成されている。溝５３は、上面５１のうちの第４端子２５−４に近い他端に形成され、すなわち、溝５２が形成される一端の反対側の他端に形成されている。溝５３は、溝５２と同様にして、上面５１のうちの第１端子支持面３１の側の縁から筒状部２１の側の縁までを接続するように、形成されている。
【００２６】
複数の巻線５は、複数の引き出し線５５−１〜５５−４を備えている。複数の引き出し線５５−４は、複数の巻線５から引き出される電線から形成されている。複数の引き出し線５５−１〜５５−４の各々は、複数の巻線５のうちの１つの電線の端部から形成されている。複数の引き出し線５５−１〜５５−４のうちの第１引き出し線５５−１は、第１端子２５−１に半田付けされている。複数の引き出し線５５−１〜５５−４のうちの第２引き出し線５５−２は、第２端子２５−２に半田付けされている。複数の引き出し線５５−１〜５５−４のうちの第３引き出し線５５−３は、第３端子２５−３に半田付けされている。複数の引き出し線５５−１〜５５−４のうちの第４引き出し線５５−４は、第４端子２５−４に半田付けされている。
【００２７】
図５は、実施例１のトランスを示す側面図である。第１引き出し線５５−１は、図５に示されているように、被覆部分５６と半田部５７とを備えている。被覆部分５６は、第１引き出し線５５−１のうちの被膜に被覆されている部分である。半田部５７は、第１引き出し線５５−１のうちの被膜に被覆されてない部分であり、半田被覆部分５８と裸電線部分５９とを備えている。半田被覆部分５８は、第１引き出し線５５−１のうちの第１端子２５−１に半田を介して接合されている部分であり、半田により被覆されている。裸電線部分５９は、第１引き出し線５５−１のうちの被膜が溶けた部分であり、金属線が露出している部分である。複数の引き出し線５５−１〜５５−４のうちの第１引き出し線５５−１と異なる任意の第ｊ引き出し線５５−ｊ（ｊ＝２，３，４）も、第１引き出し線５５−１と同様に形成され、すなわち、被覆部分５６と半田部５７とを備えている。
【００２８】
第１引き出し線５５−１は、第１端子支持部２３のうちの上面５１に沿うように配置され、詳細には、上面５１の溝５２に沿うように、配置されている。第４引き出し線５５−４も、第１引き出し線５５−１と同様にして、第１端子支持部２３のうちの上面５１に沿うように配置され、詳細には、上面５１の溝５３に沿うように、配置されている（図４参照）。
【００２９】
第２端子支持部２４は、第１端子支持部２３と概ね同様に形成されている。すなわち、ボビン３は、さらに、第２端子支持部２４のうちの第２基板対向面４３の反対側の上面６１に２つの溝が形成されている。２つの溝のうちの一方の溝６２は、上面６１のうちの第５端子２５−５に近い一端に形成され、上面６１のうちの第２端子支持面３２の側の縁から筒状部２１の側の縁までを接続するように、形成されている。２つの溝のうちの他方の溝（図示されていない）は、上面６１のうちの第８端子２５−８に近い他端に、すなわち、上面６１のうちの溝６２が形成される一端の反対側の他端に、形成されている。その溝は、溝６２と同様にして、上面６１のうちの第２端子支持面３２の側の縁から筒状部２１の側の縁までを接続するように、形成されている。
【００３０】
図６は、実施例１のトランスを示す下面図である。第２引き出し線５５−２は、図６に示されているように、第１基板対向面３３に沿うように、詳細には、第１基板対向面３３の溝３４に沿うように、配置されている。第３引き出し線５５−３は、第１基板対向面３３に沿うように、詳細には、第１基板対向面３３の溝３５に沿うように、配置されている。
【００３１】
複数の巻線５は、複数の端子２５−５〜２５−８に半田付けされる引き出し線を備えることがある。複数の端子２５−５〜２５−８にそれぞれ半田付けされる引き出し線は、図示されていないが、複数の引き出し線５５−１〜５５−４と同様にして、配置される。すなわち、第５端子２５−５に半田付けされる引き出し線は、第２端子支持部２４のうちの上面６１に沿うように配置され、詳細には、上面６１の溝６２に沿うように、配置される。第６端子２５−６に半田付けされる引き出し線は、第１基板対向面３３に沿うように、詳細には、第２基板対向面４３の溝４４に沿うように、配置される。第７端子２５−７に半田付けされる引き出し線は、第２基板対向面４３に沿うように、詳細には、第２基板対向面４３の溝４５に沿うように、配置される。第８端子２５−８に半田付けされる引き出し線は、第２端子支持部２４のうちの上面６１に沿うように配置され、詳細には、上面６１の溝６２の反対側に形成される溝に沿うように、配置される。
【００３２】
トランス１は、このように形成されることにより、第２引き出し線５５−２の半田部５７と第３引き出し線５５−３の半田部５７との間の距離６３を比較的長くすることができる。
【００３３】
［比較例のトランス］
図７は、比較例のトランスを示す斜視図である。比較例のトランス１０１は、図７に示されているように、既述の実施例１のトランス１のボビン３が他のボビン１０３に置換され、カバー６が省略されている。すなわち、トランス１０１は、コア２と複数の巻線５とを備えている。ボビン１０３は、既述のボビン３の第１端子支持部２３が第１端子支持部１２３に置換され、第２端子支持部２４が第２端子支持部１２４に置換され、他の部分に関しては、既述のボビン３と同様に形成されている。すなわち、ボビン１０３は、筒状部２１と２つの鍔部２２と複数の端子２５−１〜２５−８とを備えている。第１端子支持部１２３は、概ね直方体状に形成され、筒状部２１の一端に一体に接合されている。複数の端子２５−１〜２５−４は、第１端子支持部１２３のうちの筒状部２１に接合されている側と反対側の第１端子支持面１３１から突出するように、一列に並んで配置されている。複数の端子２５−１〜２５−４は、一端が第１端子支持部１２３に埋め込まれることにより、第１端子支持部１２３に固定されている。
【００３４】
図８は、比較例のトランスのボビンを示す正面図である。図９は、比較例のトランスのボビンを示す下面図である。第１端子支持部１２３は、図８に示されているように、トランス１０１が基板に実装されるときに基板に対向する第１基板対向面１３３に複数の溝１３４−１〜１３４−４が形成されている。複数の溝１３４−１〜１３４−４のうちの第２溝１３４−２と第３溝１３４−３とは、第１溝１３４−１と第４溝１３４−４との間に形成されている。第２溝１３４−２は、第１溝１３４−１と第３溝１３４−３との間に形成されている。第３溝１３４−３は、第２溝１３４−２と第４溝１３４−４との間に形成されている。
【００３５】
このとき、第１端子２５−１に半田付けされる第１引き出し線５５−１は、図９に示されているように、第１基板対向面１３３に沿うように、詳細には、第１基板対向面１３３の第１溝１３４−１に沿うように、配置されている。第２端子２５−２に半田付けされる第２引き出し線５５−２は、第１基板対向面１３３に沿うように、詳細には、第１基板対向面１３３の第２溝１３４−２に沿うように、配置されている。第３端子２５−３に半田付けされる第３引き出し線５５−３は、第１基板対向面１３３に沿うように、詳細には、第１基板対向面１３３の第３溝１３４−３に沿うように、配置されている。第４端子２５−４に半田付けされる第４引き出し線５５−４は、第１基板対向面１３３に沿うように、詳細には、第１基板対向面１３３の第４溝１３４−４に沿うように、配置されている。
【００３６】
第２端子支持部１２４は、第１端子支持部１２３と同様にして、トランス１０１が基板に実装されるときに基板に対向する第２基板対向面１４３に複数の溝１３４−５〜１３４−８が形成されている。複数の溝１３４−５〜１３４−８のうちの第６溝１３４−６と第７溝１３４−７とは、第５溝１３４−５と第８溝１３４−８との間に形成されている。第６溝１３４−６は、第５溝１３４−５と第７溝１３４−７との間に配置されている。第７溝１３４−７は、第６溝１３４−６と第８溝１３４−８との間に配置されている。
【００３７】
複数の巻線５は、複数の端子２５−５〜２５−８に半田付けされる引き出し線を備えることがある。複数の端子２５−５〜２５−８にそれぞれ半田付けされる引き出し線は、図示されていないが、複数の引き出し線５５−１〜５５−４と同様にして、配置される。すなわち、第５端子２５−５に半田付けされる引き出し線は、第２基板対向面１４３に沿うように、詳細には、第２基板対向面１４３の第５溝１３４−５に沿うように、配置される。第６端子２５−６に半田付けされる引き出し線は、第２基板対向面１４３に沿うように、詳細には、第２基板対向面１４３の第６溝１３４−６に沿うように、配置される。第７端子２５−７に半田付けされる引き出し線は、第２基板対向面１４３に沿うように、詳細には、第２基板対向面１４３の第７溝１３４−７に沿うように、配置される。第８端子２５−８に半田付けされる引き出し線は、第２基板対向面１４３に沿うように、詳細には、第２基板対向面１４３の第８溝１３４−８に沿うように、配置される。
【００３８】
トランス１０１は、複数の引き出し線５５−１〜５５−４がそれぞれ沿う複数の溝１３４−１〜１３４−４が第１基板対向面１３３に形成されていることにより、複数の引き出し線５５−１〜５５−４の間の距離が比較的短い。このため、トランス１０１は、複数の引き出し線５５−１〜５５−４のうちの隣り合う２つの引き出し線の間に高電圧が印加されたときに、その２つの引き出し線で放電することがあり、電圧を適切に変圧することができないことがある。
【００３９】
既述の実施例１のトランス１における第２引き出し線５５−２と第３引き出し線５５−３との間の距離６３は、比較例のトランス１０１における第２引き出し線５５−２と第３引き出し線５５−３との間の距離１５２より長い。すなわち、トランス１は、第１引き出し線５５−１と第４引き出し線５５−４とを第１端子支持部２３の上面５１に沿わせることにより、第１基板対向面３３で第２引き出し線５５−２と第３引き出し線５５−３とが配置可能である範囲を広げることができる。トランス１は、第２引き出し線５５−２と第３引き出し線５５−３とが配置可能である範囲が広いことにより、距離６３が長くなるように、第２引き出し線５５−２と第３引き出し線５５−３とを配置することができる。トランス１は、距離６３を長くすることにより、第２端子２５−２と第３端子２５−３との間に高電圧が印加された場合でも、第２引き出し線５５−２と第３引き出し線５５−３との間の放電を防止し、電圧を適切に変圧することができる。
【００４０】
［実施例１のトランスの効果］
実施例１のトランス１は、コア２とボビン３と複数の巻線５とを備えている。ボビン３は、筒状部２１と第１端子支持部２３と複数の端子２５−１〜２５−８とを備えている。筒状部２１は、コア２を囲んでいる。第１端子支持部２３は、筒状部２１に接合されている。複数の巻線５は、筒状部２１を介してコア２に巻かれている。複数の端子２５−１〜２５−８は、第１端子支持部２３のうちの筒状部２１に接合される側の反対側の第１端子支持面３１から突出するように配置されている。複数の巻線５から引き出された第１引き出し線５５−１は、第１端子支持部２３のうちの第１端子支持面３１と異なる上面５１に沿うように配置されることにより、複数の端子２５−１〜２５−８のうちの第１端子２５−１に電気的に接続されている。複数の巻線５から引き出された第２引き出し線５５−２は、第１端子支持部２３のうちの上面５１の反対側の第１基板対向面３３に沿うように配置されることにより、複数の端子２５−１〜２５−８のうちの第２端子２５−２に電気的に接続されている。
【００４１】
このようなトランス１は、第１引き出し線５５−１と第２引き出し線５５−２とが第１端子支持部２３の一部で隔てられていることにより、第１基板対向面３３で第２引き出し線５５−２が配置可能である範囲を広くすることができる。トランス１は、第１基板対向面３３で第２引き出し線５５−２が配置可能である範囲が広いことにより、第２引き出し線５５−２から他の引き出し線までの距離が長くなるように、第２引き出し線５５−２を配置することができる。たとえば、トランス１は、第２引き出し線５５−２から第３引き出し線５５−３までの距離６３が長くなるように、第２引き出し線５５−２を配置することができる。
【００４２】
また、実施例１のトランス１の第１引き出し線５５−１は、上面５１に形成される溝５２に沿うように配置されている。このようなトランス１は、第１引き出し線５５−１が沿わされる溝５２が適切にボビン３の上面５１に形成されることにより、第１引き出し線５５−１が緩やかに屈曲するように、第１引き出し線５５−１を第１端子２５−１に適切に接続させることができる。
【００４３】
また、実施例１のトランス１の複数の端子２５−１〜２５−８は、第３端子２５−３と第４端子２５−４とをさらに含んでいる。第２端子２５−２は、第１端子２５−１と第３端子２５−３との間に配置されている。第３端子２５−３は、第２端子２５−２と第４端子２５−４との間に配置されている。複数の巻線５から引き出された第３引き出し線５５−３は、第１基板対向面３３に沿うように配置され、複数の端子２５−１〜２５−８のうちの第３端子２５−３に電気的に接続されている。複数の巻線５から引き出された第４引き出し線５５−４は、上面５１に沿うように配置され、複数の端子２５−１〜２５−８のうちの第４端子２５−４に電気的に接続されている。
【００４４】
また、実施例１のトランス１の第１端子支持部２３は、第２引き出し線５５−２が沿う溝３４と、第３引き出し線５５−３が沿う溝３５とが第１基板対向面３３に形成されている。このようなトランス１は、所定の位置に溝３４と溝３５とが形成されることにより、第２引き出し線５５−２と第３引き出し線５５−３とを所定の位置に支持することができる。トランス１は、第２引き出し線５５−２と第３引き出し線５５−３とを所定の位置に支持することにより、引き出し線間の放電等を適切に防止することができる。
【００４５】
ところで、実施例１のトランス１は、第２引き出し線５５−２と第３引き出し線５５−３との間の距離６３を長くするように形成されているが、第１引き出し線５５−１と第２引き出し線５５−２との間の距離を長くするように形成されてもよい。
【００４６】
［実施例２］
図１０は、実施例２のトランスのボビンを示す下面図である。実施例２のトランスのボビン７１は、図１０に示されているように、既述の実施例１のトランス１のボビン３の第１端子支持部２３が他の第１端子支持部７２に置換され、第２端子支持部２４が他の第２端子支持部８２に置換されている。第１端子支持部７２は、第１端子支持部２３と同様にして、第１端子支持面３１と第１基板対向面３３とが形成されている。複数の端子２５−１〜２５−４は、第１端子支持部７２の第１端子支持面３１に固定されている。第１端子支持部７２は、第１基板対向面３３に溝７３と溝７４とが形成されている。溝７３と溝７４とは、第１基板対向面３３のうちの第１端子支持面３１の側の縁から筒状部２１の側の縁までを接続するように、形成されている。
【００４７】
溝７３は、溝７３の第１端子支持面３１の側の端７５が、第１基板対向面３３の第１端子支持面３１の側の辺のうちの第２端子２５−２と第３端子２５−３との間に配置されるように、形成されている。すなわち、溝７３は、第１端子２５−１から端７５までの距離が、第１端子２５−１から第２端子２５−２までの距離より長くなるように、形成されている。
【００４８】
溝７４は、溝７４の第１端子支持面３１の側の端７６が、第１基板対向面３３の第１端子支持面３１の側の辺のうちの溝７３の端７５と第３端子２５−３との間に配置されるように、形成されている。すなわち、溝７４は、第４端子２５−４から端７６までの距離が、第４端子２５−４から第３端子２５−３までの距離より長くなるように、形成されている。
【００４９】
第２端子支持部８２は、第２端子支持部２４と同様にして、第２端子支持面３２と第２基板対向面４３とが形成されている。複数の端子２５−５〜２５−８は、第２端子支持部８２の第２端子支持面３２に固定されている。第２端子支持部８２は、第２基板対向面４３に溝８３と溝８４とが形成されている。溝８３と溝８４とは、第２基板対向面４３のうちの第２端子支持面３２の側の縁から筒状部２１の側の縁までを接続するように、形成されている。
【００５０】
溝８３は、溝８３の第２端子支持面３２の側の端８５が、第２基板対向面４３の第２端子支持面３２の側の辺のうちの第６端子２５−６と第７端子２５−７との間に配置されるように、形成されている。すなわち、溝８３は、第５端子２５−５から端８５までの距離が、第５端子２５−５から第６端子２５−６までの距離より長くなるように、形成されている。
【００５１】
溝８４は、溝８４の第２端子支持面３２の側の端８６が、第２基板対向面４３の第２端子支持面３２の側の辺のうちの溝８３の端８５と第７端子２５−７との間に配置されるように、形成されている。すなわち、溝８４は、第８端子２５−８から端８６までの距離が、第８端子２５−８から第７端子２５−７までの距離より長くなるように、形成されている。
【００５２】
図１１は、実施例２のトランスのボビンを示す正面図である。第１端子支持部７２は、図１１に示されているように、第１端子支持部２３と同様にして、上面５１が形成され、上面５１に溝５２と溝５３とが形成されている。
【００５３】
第１端子２５−１に半田付けされる第１引き出し線５５−１は、上面５１に沿うように、詳細には、上面５１の溝５２に沿うように、配置されている。第２端子２５−２に半田付けされる第２引き出し線５５−２は、第１基板対向面３３に沿うように、詳細には、第１基板対向面３３の溝７３に沿うように、配置されている。第３端子２５−３に半田付けされる第３引き出し線５５−３は、第１基板対向面３３に沿うように、詳細には、第１基板対向面３３の溝７４に沿うように、配置されている。第４端子２５−４に半田付けされる第４引き出し線５５−４は、上面５１に沿うように、詳細には、上面５１の溝５３に沿うように、配置されている。
【００５４】
第２端子支持部８２に関しても、第２端子支持部２４と同様にして、上面６１が形成され、上面６１の一端に溝６２が形成され、上面６１の他端に図示されていない他の溝が形成されている。
【００５５】
図１２は、実施例２のトランスを示す下面図である。第１端子支持部７２は、図１２に示されているように、第２引き出し線５５−２と第３引き出し線５５−３との間の距離８７が比較的短く形成されている。すなわち、第１端子支持部７２は、既述の実施例１の第１端子支持部２３における第２引き出し線５５−２と第３引き出し線５５−３との間の距離６３に比較して、距離８７がより短い。さらに、第１端子支持部７２は、第１引き出し線５５−１と第２引き出し線５５−２との間の距離８８が、既述の実施例１の第１端子支持部２３における第１引き出し線５５−１と第２引き出し線５５−２との間の距離に比較して、より長い（図４参照）。第１端子支持部７２は、さらに、距離８８が、比較例の第１端子支持部１２３における第１引き出し線５５−１と第２引き出し線５５−２との間の距離１５１より長い（図９参照）。さらに、第１端子支持部７２は、第３引き出し線５５−３と第４引き出し線５５−４との間の距離８９が、既述の実施例１の第１端子支持部２３における第３引き出し線５５−３と第４引き出し線５５−４との間の距離に比較して、より長い（図４参照）。第１端子支持部７２は、さらに、距離８９が、比較例の第１端子支持部１２３における第３引き出し線５５−３と第４引き出し線５５−４との間の距離１５３に比較して、より長い（図９参照）。
【００５６】
［実施例２のトランスの効果］
実施例２のトランスは、距離８８が長くなるように形成されることにより、第１端子２５−１と第２端子２５−２との間に高電圧が印加された場合でも、第１引き出し線５５−１と第２引き出し線５５−２との間の放電を適切に防止することができる。トランス１０１は、距離８９が長くなるように形成されることにより、第３端子２５−３と第４端子２５−４との間に高電圧が印加された場合でも、第３引き出し線５５−３と第４引き出し線５５−４との間の放電を適切に防止することができる。実施例２のトランスは、このような放電が防止されることにより、第１端子２５−１と第２端子２５−２との間に高電圧が印加された場合でも、第３端子２５−３と第４端子２５−４との間に高電圧が印加された場合でも、電圧を適切に変圧することができる。
【００５７】
すなわち、実施例２のトランスは、第１端子２５−１と第２端子２５−２との間に高電圧が印加されたり、第３端子２５−３と第４端子２５−４との間に高電圧が印加されたりすることがある場合に、好適である。これに対して、実施例１のトランス１は、第２端子２５−２と第３端子２５−３との間に高電圧が印加されることがある場合に、好適である。
【００５８】
［実施例３］
図１３は、実施例３のトランスのボビンを示す下面図である。実施例３のトランスのボビン９１は、図１３に示されているように、既述の実施例１のトランス１のボビン３の第１端子支持部２３が他の第１端子支持部９２に置換され、第２端子支持部２４が他の第２端子支持部９３に置換されている。ボビン９１は、第１端子支持部９２と第２端子支持部９３と以外の部分に関してボビン３と同様に形成されている。第１端子支持部９２は、第１端子支持部２３に実施例２における溝７３と溝７４とがさらに形成されたものである。第２端子支持部９３は、第２端子支持部２４に実施例２における溝８３と溝８４とがさらに形成されたものである。
【００５９】
［実施例３のトランスの効果］
実施例３のトランスのボビン９１は、溝３４と溝７３と溝７４と溝３５とが第１基板対向面３３に形成されている。第１端子２５−１から溝３４までの距離は、第１端子２５−１から第２端子２５−２までの第１距離より短い。第１端子２５−１から溝７３までの距離は、第１距離より長い。第４端子２５−４から溝７４までの距離は、第４端子２５−４から第３端子２５−３までの第２距離より長い。第４端子２５−４から溝７３までの距離は、第２距離より短い。第２引き出し線５５−２は、溝３４または溝７３の一方に沿わされる。第３引き出し線５５−３は、溝７４または溝３５の一方に沿わされる。
【００６０】
実施例３のトランスは、実施例１、２のトランスと同様にして、第１引き出し線５５−１を上面５１の溝５２に沿わせ、第４引き出し線５５−４を上面５１の溝５３に沿わせて、利用される。このような実施例３のトランスは、第２引き出し線５５−２を溝３４に沿わせ、第３引き出し線５５−３を溝３５に沿わせることにより、第２引き出し線５５−２と第３引き出し線５５−３との間の距離を大きくすることができる。このようなトランスは、第２引き出し線５５−２を溝７３に沿わせることにより、第１引き出し線５５−１と第２引き出し線５５−２との間の距離を大きくすることができる。このようなトランスは、第３引き出し線５５−３を溝７４に沿わせることにより、第３引き出し線５５−３と第４引き出し線５５−４との間の距離を大きくすることができる。
【００６１】
このため、実施例３のトランスは、第２端子２５−２と第３端子２５−３との間に高電圧が印加されることがある場合に、第２引き出し線５５−２を第１基板対向面３３の溝３４に沿わせ、第３引き出し線５５−３を第１基板対向面３３の溝３５に沿わせて、利用される。実施例３のトランスは、さらに、第２端子２５−２と第３端子２５−３との間に高電圧が印加されることがない場合に、第２引き出し線５５−２を第１基板対向面３３の溝７３に沿わせ、第３引き出し線５５−３を第１基板対向面３３の溝７４に沿わせて、利用される。
【００６２】
すなわち、実施例３のトランスは、複数の端子２５−１〜２５−４のうちの高電圧が印加される可能性がある２つの端子に応じて、第２引き出し線５５−２と第３引き出し線５５−３とを実施例１のように配置したり、実施例２のように配置したりすることができる。このため、実施例３のトランスは、第２端子２５−２と第３端子２５−３との間に高電圧が印加されるかどうかに応じて、実施例１におけるボビン３と実施例２におけるボビン７１とを別個に準備する必要がなく、製造コストを低減することができる。
【００６３】
［実施例４］
図１４は、実施例４のトランスを示す正面図である。実施例４のトランス２０１は、図１４に示されているように、既述の実施例１のトランス１のボビン３が他のボビン２０３に置換され、コア２が他のコア２０２に置換され、カバー６が省略されている。ボビン２０３は、既述の実施例１のボビン３と概ねと同様に形成され、第１端子支持部２３を備えている。第１端子支持部２３は、上面５１に溝５２と溝５３とが形成されている。溝５２は、第１端子２５−１に半田付けされる引き出し線を沿わせるために設けられている。溝５３は、第４端子２５−４に半田付けされる引き出し線を沿わせるために設けられている。
【００６４】
コア２０２は、棒状部分２０７と環状部分２０８とを備えている。棒状部分２０７は、棒状に形成されている。環状部分２０８は、環状に形成されている。環状部分２０８は、切欠き２６１と切欠き２６２とが形成されている。切欠き２６１は、環状部分２０８のうちの溝５２に対向する領域に形成され、すなわち、環状部分２０８のうちの溝５２に近い領域に形成されている。切欠き２６２は、環状部分２０８のうちの溝５３に対向する領域に形成され、すなわち、環状部分２０８のうちの溝５３に近い領域に形成されている。
【００６５】
図１５は、実施例４のトランスを示す分解斜視図である。コア２０２は、図１５に示されているように、コア２１１−１とコア２１１−２とを備えている。コア２１１−１は、コア２１１−２と同様に形成されている。コア２１１−ｉ（ｉ＝１，２）は、基板部２１４−ｉと第１外足部２１５−ｉと第２外足部２１６−ｉと中足部２１７−ｉとを備えている。基板部２１４−ｉは、板状に形成されている。第１外足部２１５−ｉは、板状に形成され、基板部２１４−ｉの一端から基板部２１４−ｉの法線方向に突出するように、基板部２１４−ｉの一端に一体に接合されている。第２外足部２１６−ｉは、第１外足部２１５−ｉと同様にして、板状に形成されている。第２外足部２１６−ｉは、基板部２１４−ｉのうちの第１外足部２１５−ｉが接合される一端と反対側の他端から、第１外足部２１５−ｉが突出する方向と同じ方向に突出するように、基板部２１４−ｉの他端に一体に接合されている。中足部２１７−ｉは、板状に形成され、基板部２１４−ｉの中央から、第１外足部２１５−ｉが突出する方向と同じ方向に突出するように、基板部２１４−ｉの中央に一体に接合されている。第１外足部２１５−ｉと第２外足部２１６−ｉと中足部２１７−ｉとの長さは、互いに等しく、既述のコア１１−ｉの第１外足部１５−ｉと第２外足部１６−ｉと中足部１７−ｉとの長さと等しい。
【００６６】
コア２１１−１とコア２１１−２とは、中足部２１７−１と中足部２１７−２とがボビン２０３の筒状部２２１に挿入されることにより、コア２０２に形成される。このとき、中足部２１７−１と中足部２１７−２とは、コア２０２の棒状部分２０７に形成される。基板部２１４−１と第１外足部２１５−１と第２外足部２１６−１と基板部２１４−２と第１外足部２１５−２と第２外足部２１６−２とは、コア２０２の環状部分２０８に形成される。
【００６７】
コア２０２は、トランス２０１がカバー６を備えていないことにより、第１端子２５−１に半田付けされる引き出し線が、コア２０２のうちの溝５２に近い領域に接近することがある。コア２０２は、引き出し線が接近することにより、その接近した引き出し線と放電することがある。実施例４のトランス２０１は、コア２０２に切欠き２６１と切欠き２６２とが形成されていることにより、引き出し線との距離を長くすることができ、引き出し線と放電することを防止することができる。
【００６８】
ボビン２０３は、既述の実施例１のボビン３の筒状部２１が他の筒状部２２１に置換され、他の部分に関してはボビン３と同様に形成されている。筒状部２２１は、既述の筒状部２１と同様にして、中空の筒状に形成されている。
【００６９】
図１６は、実施例４のトランスのボビンを示す側面図である。筒状部２２１の長さ２６３は、カバー６のうちの一対の貫通孔２９がそれぞれ形成される一対の側面の厚さの分だけ、実施例１のボビン３の筒状部２１の長さより長くなるように、形成されている。ボビン２０３は、筒状部２２１の長さ２６３が長く形成されていることにより、実施例１のボビン３に比較して、複数の巻線５がより多く巻かれることができる。
【００７０】
［実施例４のトランスの効果］
実施例４のトランス２０１のコア２０２は、複数の巻線５に巻かれる棒状部分２０７と、複数の巻線５を囲む環状部分２０８とを備えている。環状部分２０８は、第１引き出し線５５−１に対向する領域に切欠き２６１が形成されている。このようなトランス２０１は、コア２０２に切欠き２６１が形成されていることにより、第１引き出し線５５−１とコア２０２との間の距離を大きくすることができ、第１引き出し線５５−１とコア２０２との間の放電を防止することができる。
【００７１】
ところで、実施例１、２、３のトランスは、カバー６を備えているが、実施例４と同様にしてカバー６を省略してもよい。実施例１、２、３のトランスは、カバー６が省略されたときに、実施例４と同様にして、筒状部２１の長さを長く形成することができ、複数の巻線５が多く巻かれることができる。
【００７２】
ところで、実施例１〜４のトランスは、複数の引き出し線がそれぞれ沿う複数の溝がボビンに形成されているが、このような溝を省略してもよい。このとき、トランスは、第１引き出し線５５−１と第４引き出し線５５−４とを第１端子支持部の上面に沿わせることにより、既述の実施例と同様にして、第１基板対向面で第２引き出し線５５−２と第３引き出し線５５−３とが配置可能である範囲を広くすることができる。このため、トランスは、第２引き出し線５５−２と第３引き出し線５５−３とを適切に配置することにより、高電圧が印加される２つの引き出し線の間の距離を長くすることができる。
【符号の説明】
【００７３】
１  ：トランス
２  ：コア
３  ：ボビン
５  ：複数の巻線
７  ：棒状部分
８  ：環状部分
２１：筒状部
２３：第１端子支持部
２４：第２端子支持部
２５−１〜２５−８：複数の端子
３１：第１端子支持面
３２：第２端子支持面
３３：第１基板対向面
３４：溝
３５：溝
４３：第２基板対向面
４４：溝
４５：溝
５１：上面
５２：溝
５３：溝
５５−１〜５５−４：複数の引き出し線
５６：被覆部分
５７：半田部
６１：上面
６２：溝
７１：ボビン
７２：第１端子支持部
７３：溝
７４：溝
８２：第２端子支持部
８３：溝
８４：溝
９１：ボビン
９２：第１端子支持部
９３：第２端子支持部
２０１：トランス
２０２：コア
２０３：ボビン
２０７：棒状部分
２０８：環状部分
２２１：筒状部
２６１：切欠き
２６２：切欠き
【図１】
2018049945.tif 000003
【図２】
2018049945.tif 000004
【図３】
2018049945.tif 000005
【図４】
2018049945.tif 000006
【図５】
2018049945.tif 000007
【図６】
2018049945.tif 000008
【図７】
2018049945.tif 000009
【図８】
2018049945.tif 000010
【図９】
2018049945.tif 000011
【図１０】
2018049945.tif 000012
【図１１】
2018049945.tif 000013
【図１２】
2018049945.tif 000014
【図１３】
2018049945.tif 000015
【図１４】
2018049945.tif 000016
【図１５】
2018049945.tif 000017
【図１６】
2018049945.tif 000018